(57)【要約】【課題】熱交換率を向上させる。【解決手段】導入路６１の高さが右端部６１Ａから左端部６１Ｂへ向けて徐々に低くされている。このため、導入路６１の断面積を入口部４５から遠ざかるほど小さく構成することができる。導出路６２の高さが、導出路６２の右端部６２Ａから左端部６２Ｂへ向けて徐々に高くされている。このため、入口部４５から遠い側（左側）に配置された熱媒体流路５０の導出側において、入口部４５から近い側（右側）に配置された熱媒体流路５０の導出側よりも、導出路６２の断面積を大きく構成することができる。これにより、熱媒体流路を流通する熱媒体の流量が、入口部４５から近い右側に配置された熱媒体流路５０と、入口部４５から遠い左側に配置された熱媒体流路５０との間でばらつくことが抑制できるので、熱交換率を向上させられる。【選択図】図６
2018204853.tif 000002
【特許請求の範囲】
【請求項１】
互いに直交する第一方向、第二方向及び第三方向に大きさを有する熱交換器本体と、
前記熱交換器本体の内部と仕切られた状態で前記熱交換器本体に前記第一方向へ貫通され、前記第二方向に複数配置され、高温ガスが前記第一方向の一方へ流通可能なガス流路と、
前記熱交換器本体の内部に形成され、前記第二方向に前記ガス流路と交互に複数配置され、前記ガス流路を流通する高温ガスとの間で熱交換される熱媒体が前記第一方向の一方又は他方に沿った流通方向へ流通可能な熱媒体流路と、
前記熱交換器本体に設けられ、前記熱交換器本体の外部から内部へ前記熱媒体を導入するための入口部と、
前記熱交換器本体に設けられ、前記熱交換器本体の内部から外部へ前記熱媒体を導出するための出口部と、
前記熱交換器本体の内部に形成され、前記入口部からの熱媒体を前記第二方向へ流通させて複数の前記熱媒体流路の上流部分に導入し、前記第三方向に沿った長さが、自らの上流端部から自らの下流端部へ向けて徐々に短くされた導入路と、
前記熱交換器本体の内部に形成され、前記複数の熱媒体流路の下流部分からの熱媒体を前記第二方向へ流通させて前記出口部へ導出し、前記第三方向に沿った長さが、前記導入路の上流端部に対する前記流通方向側に配置された第一部分から、前記導入路の下流端部に対する前記流通方向側に配置された第二部分へ向けて徐々に長くされた導出路と、
を備える熱交換器。
【請求項２】
前記入口部は、前記導入路における前記第二方向の一方側の端部と連通され、
前記出口部は、前記導出路における前記第二方向の他方側の端部と連通され、
前記導入路は、前記入口部からの熱媒体を前記一方側から前記他方側へ流通させて前記複数の熱媒体流路の上流部分に導入し、前記第三方向に沿った長さが、前記一方側の端部から前記他方側の端部へ向けて徐々に短くされ、
前記導出路は、前記複数の熱媒体流路の下流部分からの熱媒体を前記一方側から前記他方側へ流通させて前記出口部へ導出し、前記第三方向に沿った長さが、前記第一部分としての前記一方側の端部から前記第二部分としての前記他方側の端部へ向けて徐々に長くされている
請求項１に記載の熱交換器。
【請求項３】
前記入口部は、前記導入路における前記第二方向の中央側の部分と連通され、
前記出口部は、前記導出路における前記第二方向の中央側の部分と連通され、
前記導入路は、前記入口部からの熱媒体を前記第二方向の中央側から一方側及び他方側へ流通させて前記複数の熱媒体流路の上流部分に導入し、前記第三方向に沿った長さが、前記中央側の部分から前記一方側及び前記他方側の端部へ向けて徐々に短くされ、
前記導出路は、前記複数の熱媒体流路の下流部分からの熱媒体を前記一方側及び前記他方側から前記中央側へ流通させて前記出口部へ導出し、前記第三方向に沿った長さが、前記第一部分としての前記中央側の部分から前記第二部分としての前記一方側及び前記他方側の端部へ向けて徐々に長くされている
請求項１に記載の熱交換器。
【請求項４】
前記入口部は、前記導入路における前記第二方向の一方側の端部と連通され、
前記出口部は、前記導出路における前記第二方向の前記一方側の端部と連通され、
前記導入路は、前記入口部からの熱媒体を前記第二方向の前記一方側から他方側へ流通させて前記複数の熱媒体流路の上流部分に導入し、前記第三方向に沿った長さが、前記一方側の端部から前記他方側の端部へ向けて徐々に短くされ、
前記導出路は、前記複数の熱媒体流路の下流部分からの熱媒体を前記他方側から前記一方側へ流通させて前記出口部へ導出し、前記第三方向に沿った長さが、前記第一部分としての前記一方側の端部から前記第二部分としての前記他方側の端部へ向けて徐々に長くされている
請求項１に記載の熱交換器。
【請求項５】
前記熱交換器本体、前記入口部及び前記出口部は、炭化珪素で一体に形成されている
請求項１〜４のいずれか１項に記載の熱交換器。
【請求項６】
排気ガスが流通する排気管と、
前記排気管の内部に熱交換器本体が設けられ、高温ガスとしての前記排気ガスがガス流路を流通する請求項１〜５のいずれか１項に記載の熱交換器と、
を備える排熱回収構造。
【発明の詳細な説明】
【技術分野】
【０００１】
本発明は、熱交換器、及び排熱回収構造に関する。
【背景技術】
【０００２】
特許文献１には、入口管を通じて導入された冷却水等の熱媒体と、排気ガスと、の間で熱交換するガスクーラが開示されている。特許文献１のガスクーラでは、入口管を通じて導入された熱媒体が流通する熱媒体流路と、排気ガスが流通するガス流路とが、ガスクーラ幅方向に交互に複数配置されている。入口管は、ガスクーラ幅方向の一方側に片寄って配置されている。
【先行技術文献】
【特許文献】
【０００３】
【特許文献１】特開２０１６−２０００７１号公報
【発明の概要】
【発明が解決しようとする課題】
【０００４】
特許文献１のガスクーラにおいて、入口管からの熱媒体をガスクーラ幅方向に流通させて各熱媒体流路に導入する場合では、入口管に近いガスクーラ幅方向の一方側（流通方向上流側）に配置された熱媒体流路よりも、入口管から遠いガスクーラ幅方向の他方側（流通方向下流側）に配置された熱媒体流路で、熱媒体にかかる抵抗が高くなる。
【０００５】
この結果、熱媒体流路を流通する熱媒体の流量が、熱媒体流路間でばらつく場合がある。熱媒体流路を流通する熱媒体の流量が、熱媒体流路間でばらつくと、熱媒体が部分的に沸騰したり、熱交換効率が低下したりする原因となる。
【０００６】
本発明は、上記事実を考慮して、熱交換率を向上させることができる熱交換器、及び排熱回収構造を得ることが目的である。
【課題を解決するための手段】
【０００７】
請求項１に係る熱交換器は、互いに直交する第一方向、第二方向及び第三方向に大きさを有する熱交換器本体と、前記熱交換器本体の内部と仕切られた状態で前記熱交換器本体に前記第一方向へ貫通され、前記第二方向に複数配置され、高温ガスが前記第一方向の一方へ流通可能なガス流路と、前記熱交換器本体の内部に形成され、前記第二方向に前記ガス流路と交互に複数配置され、前記ガス流路を流通する高温ガスとの間で熱交換される熱媒体が前記第一方向の一方又は他方に沿った流通方向へ流通可能な熱媒体流路と、前記熱交換器本体に設けられ、前記熱交換器本体の外部から内部へ前記熱媒体を導入するための入口部と、前記熱交換器本体に設けられ、前記熱交換器本体の内部から外部へ前記熱媒体を導出するための出口部と、前記熱交換器本体の内部に形成され、前記入口部からの熱媒体を前記第二方向へ流通させて複数の前記熱媒体流路の上流部分に導入し、前記第三方向に沿った長さが、自らの上流端部から自らの下流端部へ向けて徐々に短くされた導入路と、前記熱交換器本体の内部に形成され、前記複数の熱媒体流路の下流部分からの熱媒体を前記第二方向へ流通させて前記出口部へ導出し、前記第三方向に沿った長さが、前記導入路の上流端部に対する前記流通方向側に配置された第一部分から、前記導入路の下流端部に対する前記流通方向側に配置された第二部分へ向けて徐々に長くされた導出路と、を備える。
【０００８】
請求項１における「第一方向」、「第二方向」及び「第三方向」は、互いに直交する「任意の方向」である。「任意の方向」とは、「任意の一方向とその反対方向を含む方向」である。したがって、「第一方向」、「第二方向」及び「第三方向」の一例として、「前後方向」、「左右方向」及び「上下方向」を挙げることができる。また、「第一方向の一方」とは、「第一方向」を一例として「前後方向」とした場合における「前方」又は「後方」である。「第一方向の他方」とは、「第一方向の一方」の反対方向であり、「第一方向の一方」を一例として「前方」とした場合における「後方」である。
【０００９】
請求項１における「交互に配置される」には、単数個又は複数個のガス流路と、単数個又は複数個の熱媒体流路とが交互に複数配置される場合が含まれる。
【００１０】
請求項１に係る熱交換器によれば、高温ガスは、熱交換器本体の内部と仕切られた状態で熱交換器本体に第一方向へ貫通されたガス流路を第一方向の一方へ流通する。
【００１１】
一方、熱媒体は、入口部によって、熱交換器本体の外部から内部へ導入される。当該熱媒体は、導入路を第二方向へ流通して、複数の熱媒体流路の上流部分に導入される。当該熱媒体は、当該熱媒体流路を第一方向の一方又は他方に沿った流通方向へ流通し、ガス流路を流通する高温ガスとの間で熱交換される。そして、当該熱媒体は、複数の熱媒体流路の下流部分から、導出路を第二方向へ流通して出口部から熱交換器本体の外部へ導出される。
【００１２】
ここで、導入路は、第三方向に沿った長さが、自らの上流端部から自らの下流端部へ向けて徐々に短くされている。すなわち、導入路の第三方向に沿った長さが、入口部に近い上流端部から、入口部から遠い下流端部へ向けて徐々に短くされている。これにより、導入路の断面積を入口部から遠ざかるほど小さく構成することができる。
【００１３】
一方、導出路では、第三方向に沿った長さが、導入路の上流端部に対する流通方向側（熱媒体が熱媒体流路を流通する流通方向側）に配置された第一部分から、導入路の下流端部に対する流通方向側に配置された第二部分へ向けて徐々に長くされている。
【００１４】
ここで、導出路の第一部分は、導入路の上流端部に対する流通方向側に配置されているため、導入路の入口部に近い上流端部から熱媒体流路を流通方向へ流通した熱媒体が、導出路の第一部分へ導出される。導出路の第二部分は、導入路の下流端部に対する流通方向側に配置されているため、導入路の入口部から遠い下流端部から熱媒体流路を流通方向へ流通した熱媒体が、導出路の第二部分へ導出される。
【００１５】
前述のように、導出路は、第三方向に沿った長さが第一部分から第二部分へ向けて徐々に長くされているため、入口部から遠い側に配置された熱媒体流路の導出側において、入口部から近い側に配置された熱媒体流路の導出側よりも、導出路の断面積を大きく構成することができる。
【００１６】
以上のように、導入路の断面積を入口部から遠いほど小さくし、入口部から近い側に配置された熱媒体流路よりも、入口部から遠い側に配置された熱媒体流路の導出側において、導出路の断面積を大きくすることで、入口部から各熱媒体経路を経て出口部へ至る複数の経路間における流通抵抗のばらつきを抑制することができる。これにより、熱媒体流路を流通する熱媒体の流量が、入口部から近い側に配置された熱媒体流路と、入口部から遠い側に配置された熱媒体流路との間でばらつくことを抑制できる。このように、請求項１の構成によれば、熱媒体流路を流通する熱媒体の流量が、熱媒体流路間でばらつくことを抑制できるため、熱交換効率を向上させることができる。
【００１７】
請求項２に係る熱交換器では、請求項１の構成において、前記入口部は、前記導入路における前記第二方向の一方側の端部と連通され、前記出口部は、前記導出路における前記第二方向の他方側の端部と連通され、前記導入路は、前記入口部からの熱媒体を前記一方側から前記他方側へ流通させて前記複数の熱媒体流路の上流部分に導入し、前記第三方向に沿った長さが、前記一方側の端部から前記他方側の端部へ向けて徐々に短くされ、前記導出路は、前記複数の熱媒体流路の下流部分からの熱媒体を前記一方側から前記他方側へ流通させて前記出口部へ導出し、前記第三方向に沿った長さが、前記第一部分としての前記一方側の端部から前記第二部分としての前記他方側の端部へ向けて徐々に長くされている。
【００１８】
請求項２に係る熱交換器によれば、導入路は、第三方向に沿った長さが、第二方向の一方側の端部（以下、一方側端部という）から他方側の端部（以下、他方側端部という）へ向けて徐々に短くされている。すなわち、導入路の第三方向に沿った長さが、入口部に近い一方側端部から、入口部から遠い他方側端部へ向けて徐々に短くされている。これにより、導入路の断面積を入口部から遠ざかるほど小さく構成することができる。
【００１９】
一方、導出路では、第三方向に沿った長さが、第二方向の一方側端部から他方側端部へ向けて徐々に長くされている。
【００２０】
ここで、導入路の入口部に近い一方側端部から熱媒体流路を流通方向へ流通した熱媒体が、導出路の一方側端部へ導出される。導入路の入口部から遠い他方側端部から熱媒体流路を流通方向へ流通した熱媒体が、導出路の他方側端部へ導出される。
【００２１】
前述のように、導出路は、第三方向に沿った長さが一方側端部から他方側端部へ向けて徐々に長くされているため、入口部から遠い側に配置された熱媒体流路の導出側において、入口部から近い側に配置された熱媒体流路の導出側よりも、導出路の断面積を大きく構成することができる。
【００２２】
以上のように、入口部と出口部とを第二方向における一方側と他方側とに配置して、導入路の断面積を入口部から遠いほど小さくし、入口部から近い側に配置された熱媒体流路よりも、入口部から遠い側に配置された熱媒体流路の導出側において、導出路の断面積を大きくすることで、入口部から各熱媒体経路を経て出口部へ至る複数の経路間における流通抵抗のばらつきを抑制することができる。これにより、熱媒体流路を流通する熱媒体の流量が、入口部から近い側に配置された熱媒体流路と、入口部から遠い側に配置された熱媒体流路との間でばらつくことを抑制できる。このように、入口部が導入路の一方側端部と連通され、出口部が導出路の他方側端部と連通される請求項２の構成においても、熱媒体流路を流通する熱媒体の流量が、熱媒体流路間でばらつくことを抑制できるため、熱交換効率を向上させることができる。
【００２３】
請求項３に係る熱交換器では、請求項１の構成において、前記入口部は、前記導入路における前記第二方向の中央側の部分と連通され、前記出口部は、前記導出路における前記第二方向の中央側の部分と連通され、前記導入路は、前記入口部からの熱媒体を前記第二方向の中央側から一方側及び他方側へ流通させて前記複数の熱媒体流路の上流部分に導入し、前記第三方向に沿った長さが、前記中央側の部分から前記一方側及び前記他方側の端部へ向けて徐々に短くされ、前記導出路は、前記複数の熱媒体流路の下流部分からの熱媒体を前記一方側及び前記他方側から前記中央側へ流通させて前記出口部へ導出し、前記第三方向に沿った長さが、前記第一部分としての前記中央側の部分から前記第二部分としての前記一方側及び前記他方側の端部へ向けて徐々に長くされている。
【００２４】
請求項３に係る熱交換器によれば、導入路は、第三方向に沿った長さが、第二方向の中央側の部分（以下、中央部という）から一方側の端部（以下、一方側端部という）及び他方側の端部（以下、他方側端部という）へ向けて徐々に短くされている。すなわち、導入路の第三方向に沿った長さが、入口部に近い中央部から、入口部から遠い一方側端部及び他方側端部へ向けて徐々に短くされている。これにより、導入路の断面積を入口部から遠ざかるほど小さく構成することができる。
【００２５】
一方、導出路では、第三方向に沿った長さが、第二方向の中央部から一方側端部及び他方側端部へ向けて徐々に長くされている。
【００２６】
ここで、導入路の入口部に近い中央部から熱媒体流路を流通方向へ流通した熱媒体が、導出路の中央部へ導出される。導入路の入口部から遠い一方側端部及び他方側端部から熱媒体流路を流通方向へ流通した熱媒体が、導出路の一方側端部及び他方側端部へ導出される。
【００２７】
前述のように、導出路は、第三方向に沿った長さが中央部から一方側端部及び他方側端部へ向けて徐々に長くされているため、入口部から遠い側に配置された熱媒体流路の導出側において、入口部から近い側に配置された熱媒体流路の導出側よりも、導出路の断面積を大きく構成することができる。
【００２８】
以上のように、入口部と出口部をいずれも第二方向における中央部に配置して、導入路の断面積を入口部から遠いほど小さくし、入口部から近い側の熱媒体流路よりも、入口部から遠い側の熱媒体流路の導出側において、導出路の断面積を大きくすることで、入口部から各熱媒体経路を経て出口部へ至る複数の経路間における流通抵抗のばらつきを抑制することができる。これにより、熱媒体流路を流通する熱媒体の流量が、入口部から近い側に配置された熱媒体流路と、入口部から遠い側に配置された熱媒体流路との間でばらつくことを抑制できる。このように、入口部が導入路の中央部と連通され、出口部が導出路の中央部と連通される請求項３の構成においても、熱媒体流路を流通する熱媒体の流量が、熱媒体流路間でばらつくことを抑制できるため、熱交換効率を向上させることができる。
【００２９】
請求項４に係る熱交換器では、請求項１の構成において、前記入口部は、前記導入路における前記第二方向の一方側の端部と連通され、前記出口部は、前記導出路における前記第二方向の前記一方側の端部と連通され、前記導入路は、前記入口部からの熱媒体を前記第二方向の前記一方側から他方側へ流通させて前記複数の熱媒体流路の上流部分に導入し、前記第三方向に沿った長さが、前記一方側の端部から前記他方側の端部へ向けて徐々に短くされ、前記導出路は、前記複数の熱媒体流路の下流部分からの熱媒体を前記他方側から前記一方側へ流通させて前記出口部へ導出し、前記第三方向に沿った長さが、前記第一部分としての前記一方側の端部から前記第二部分としての前記他方側の端部へ向けて徐々に長くされている。
【００３０】
請求項４に係る熱交換器によれば、導入路は、第三方向に沿った長さが、第二方向の一方側の端部（以下、一方側端部という）から他方側の端部（以下、他方側端部という）へ向けて徐々に短くされている。すなわち、導入路の第三方向に沿った長さが、入口部に近い一方側端部から、入口部から遠い他方側端部へ向けて徐々に短くされている。これにより、導入路の断面積を入口部から遠ざかるほど小さく構成することができる。
【００３１】
一方、導出路では、第三方向に沿った長さが、第二方向の一方側端部から他方側端部へ向けて徐々に長くされている。
【００３２】
ここで、導入路の入口部に近い一方側端部から熱媒体流路を流通方向へ流通した熱媒体が、導出路の一方側端部へ導出される。導入路の入口部から遠い他方側端部から熱媒体流路を流通方向へ流通した熱媒体が、導出路の他方側端部へ導出される。
【００３３】
前述のように、導出路は、第三方向に沿った長さが一方側端部から他方側端部へ向けて徐々に長くされているため、入口部から遠い側に配置された熱媒体流路の導出側において、入口部から近い側に配置された熱媒体流路の導出側よりも、導出路の断面積を大きく構成することができる。
【００３４】
以上のように、入口部と出口部を第二方向における同じ側に配置して、導入路の断面積を入口部から遠いほど小さくし、入口部から近い側の熱媒体流路よりも入口部から遠い側の熱媒体流路の導出側において、導出路の断面積を大きくすることで、入口部から各熱媒体経路を経て出口部へ至る複数の経路間における流通抵抗のばらつきを抑制することができる。これにより、熱媒体流路を流通する熱媒体の流量が、入口部から近い側に配置された熱媒体流路と、入口部から遠い側に配置された熱媒体流路との間でばらつくことを抑制できる。このように、入口部が導入路の一方側端部と連通され、出口部が導出路の一方側端部と連通される請求項４の構成においても、熱媒体流路を流通する熱媒体の流量が、熱媒体流路間でばらつくことを抑制できるため、熱交換効率を向上させることができる。
【００３５】
請求項５に係る熱交換器では、請求項１〜４のいずれか１項の構成において、前記熱交換器本体、前記入口部及び前記出口部が、炭化珪素で一体に形成されている。
【００３６】
請求項５に係る熱交換器によれば、熱交換器本体、入口部及び出口部が、熱伝導性に優れる炭化珪素で一体に形成されているので、熱交換性を向上させることができる。
【００３７】
請求項６に係る排熱回収構造は、排気ガスが流通する排気管と、前記排気管の内部に熱交換器本体が設けられ、高温ガスとしての前記排気ガスがガス流路を流通する請求項１〜５のいずれか１項に記載の熱交換器と、を備える。
【００３８】
請求項６に係る排熱回収構造で用いる熱交換器では、熱媒体流路を流通する熱媒体の流量が、熱媒体流路間でばらつくことを抑制できるため、熱交換効率を向上させることができる。この結果、排熱回収構造において、排気ガスの熱を回収する回収効率を向上させることができる。
【発明の効果】
【００３９】
本発明は、上記構成としたので、熱媒体流路を流通する熱媒体の流量が、熱媒体流路間でばらつくことを抑制できるため、熱交換効率を向上させることができる。
【図面の簡単な説明】
【００４０】
【図１】本実施形態に係る排熱回収構造を示す断面図である。
【図２】本実施形態に係る熱交換器を示す斜視図である。
【図３】本実施形態に係る熱交換器を示す分解斜視図である。
【図４】本実施形態に係る熱交換器の一部を切断した斜視図である。
【図５】本実施形態に係る熱交換器の一部を切断した斜視図である。
【図６】本実施形態に係る熱交換器における、図２の６−６線断面図である。
【図７】本実施形態に係る熱交換器の平面図である。
【図８】第一変形例に係る熱交換器の斜視図である。
【図９】第一変形例に係る熱交換器の平面図である。
【図１０】第一変形例に係る熱交換器の断面図である。（Ａ）は、図９の１０Ａ−１０Ａ線断面図である。（Ｂ）は、図９の１０Ｂ−１０Ｂ線断面図である。
【図１１】第二変形例に係る熱交換器の斜視図である。
【図１２】第二変形例に係る熱交換器の平面図である。
【図１３】第二変形例に係る熱交換器の断面図である。（Ａ）は、図１２の１３Ａ−１３Ａ線断面図である。（Ｂ）は、図１２の１３Ｂ−１３Ｂ線断面図である。
【発明を実施するための形態】
【００４１】
以下に、本発明に係る実施形態の一例を図面に基づき説明する。
【００４２】
（排熱回収構造１０）
第一実施形態に係る排熱回収構造１０について説明する。図１は、排熱回収構造１０の断面図である。なお、各図に適宜示される矢印ＦＲ、矢印ＲＲ、矢印ＬＨ、矢印ＲＨ、矢印ＵＰ及び矢印ＤＯは、それぞれ、前方、後方、左方、右方、上方及び下方を示している。なお、これらの方向は、説明の便宜上、定めた方向であるから、排熱回収構造１０における方向は、これらの方向に限定されるものではない。また、以下の説明で用いる前後、左右、上下の方向は、排熱回収構造１０が適用される車両の前後、左右、上下の方向と一致していてもよいし、一致していなくてもよい。
【００４３】
また、以下の説明で用いる各図は、排熱回収構造１０を概念的に示す概略図であり、各図に示す各構成部品の前後方向、左右方向、上下方向の寸法比は、各図間で異なる場合がある。また、以下の説明で用いる「平面視」とは、上方側から下方側へ向けて見た場合をいい、構成部品の一部を透視した場合が含まれる。また、以下の説明で用いる「正面視」とは、前方側から後方側へ向けて見た場合をいい、構成部品の一部を透視した場合が含まれる。
【００４４】
排熱回収構造１０は、自動車等の車両のエンジン（図示省略）から排出された排気ガスの熱を回収する構造である。具体的には、排熱回収構造１０は、図１に示されるように、排気管２０と、熱交換器４０と、導入管３１と、導出管３２と、Ｏリング３３、３４と、を備えている。
【００４５】
排気管２０は、筒状の管で構成されている。排気ガスは、排気管２０の内部を後方へ流通する。各図では、排気ガスが流通するガス流通方向が、矢印Ａ方向にて示されている。排気管２０は、具体的には、排気管本体２２と、カバー部２４と、を有している。
【００４６】
排気管本体２２は、筒状の管で構成されている。この排気管本体２２には、熱交換器４０を排気管本体２２の内部に収容するための収容口２７が形成されている。カバー部２４は、収容口２７を覆うと共に、一例として締結部材２３により排気管本体２２に固定されている。カバー部２４には、導入管３１及び導出管３２が一体に設けられている。具体的には、導入管３１の下流端部（下端部）及び導出管３２の上流端部（下端部）が、カバー部２４に接続されている。なお、排気ガスは、例えば、２００℃以上８００℃以下の範囲の温度を有する。
【００４７】
熱交換器４０は、排気管２０を流通する排気ガスと熱媒体との間で熱交換する機能を有している。熱媒体としては、例えば、エンジンを冷却するための冷却水（Ｌｏｎｇ Ｌｉｆｅ Ｃｏｏｌａｎｔ：ＬＬＣ）が用いられる。熱媒体は、排気ガスの温度より低い温度を有する。熱媒体として冷却水を用いる場合では、熱媒体の温度は、例えば、最高１３０℃程度となる。
【００４８】
熱交換器４０は、具体的には、図２に示されるように、熱交換器本体４２と、入口部４５及び出口部４６と、を有している。熱交換器本体４２は、図１に示されるように、排気管２０の内部に配置されている。なお、図１に示す熱交換器４０は、図２の１−１線断面で示したものである。
【００４９】
熱交換器本体４２は、図２に示されるように、互いに直交する前後方向（第一方向の一例）、左右方向（第二方向の一例）及び上下方向（第三方向の一例）に大きさを有している。具体的には、熱交換器本体４２は、直方体形状に形成されている。この熱交換器本体４２は、第一流路形成体４２１と、第二流路形成体４２２と、を有している。
【００５０】
第一流路形成体４２１は、図３に示されるように、直方体形状に形成されている。したがって、第一流路形成体４２１は、前面４３Ｆと、後面４３Ｒと、右側面４３Ｍと、左側面４３Ｓと、上面４３Ｕと、下面４３Ｄと、を有している。
【００５１】
第一流路形成体４２１には、図３及び図４に示されるように、排気ガス（高温ガスの一例）が後方（第一方向の一方）へ流通可能なガス流路１６が、第一流路形成体４２１（熱交換器本体４２）の内部と仕切られた状態で前後方向へ貫通されている。すなわち、ガス流路１６は、第一流路形成体４２１の前面４３Ｆから後面４３Ｒへ貫通している。
【００５２】
ガス流路１６は、上下方向に複数配置され、且つ、左右方向に複数配置されている。すなわち、ガス流路１６は、第一流路形成体４２１の前面４３Ｆに向かって見て、二次元状に配置されている。本実施形態では、ガス流路１６は、上下方向に複数配置されて構成された列が、左右方向へ２つ毎に間隔をあけて配置されている。
【００５３】
第一流路形成体４２１（熱交換器本体４２）の内部には、図１及び図５に示されるように、熱媒体が前方（第一方向の一方又は他方に沿った流通方向の一例）へ流通可能な熱媒体流路５０が形成されている。この熱媒体流路５０は、仕切壁１７によってガス流路１６と仕切られている。そして、熱媒体流路５０を前方へ流通する熱媒体は、ガス流路１６を後方へ流通する排気ガスとの間で、仕切壁１７を介して熱交換される。
【００５４】
熱媒体流路５０は、図６に示されるように、左右方向にガス流路１６と交互に複数配置されている。具体的には、２つのガス流路１６と１つの熱媒体流路５０とが左右方向に交互に複数配置されている。なお、ガス流路１６及び熱媒体流路５０の左右方向への配置個数は、前述の個数に限定されるものではなく、単数又は複数のガス流路１６と、単数又は複数の熱媒体流路５０とが左右方向に交互に複数配置されていればよい。なお、図６に示す熱交換器４０は、図２の６−６線断面で示したものである。
【００５５】
熱媒体流路５０の前後方向の中央部分には、図１及び図５に示されるように、上下方向に仕切られた複数の通路５９が形成されている。熱媒体流路５０を流通する熱媒体が、複数の通路５９を通過することで、整流作用が生じる。
【００５６】
熱媒体流路５０では、前述のように、熱媒体が前方へ流通される。したがって、熱媒体流路５０の後方部分（通路５９に対する後方側の部分）が、熱媒体流路５０の上流部分５１とされる。さらに、熱媒体流路５０の前方部分（通路５９に対する前方側の部分）が、熱媒体流路５０の下流部分５２とされる。
【００５７】
上流部分５１には、図１に示されるように、上方へ開口する導入口５１１が形成されている。この導入口５１１を通じて、熱媒体流路５０に熱媒体が導入される。下流部分５２には、上方へ開口する導出口５２２が形成されている。この導出口５２２を通じて、熱媒体流路５０から熱媒体が導出される。
【００５８】
第二流路形成体４２２は、図７に示されるように、平面視にて矩形とされ、且つ上下方向が厚み方向とされた板状（図３参照）に形成されている。この第二流路形成体４２２は、図２に示されるように、第一流路形成体４２１の上面に一体に設けられている。このように、第一流路形成体４２１及び第二流路形成体４２２が一体に設けられることで、熱交換器本体４２が構成される。
【００５９】
なお、熱交換器本体４２の内部は、熱媒体が流通する空間であり、ガス流路１６と仕切られている。したがって、熱交換器本体４２の内部は、ガス流路１６と連通しておらず、ガス流路１６と隔離された空間とされている。また、本実施形態では、入口部４５及び出口部４６を含む熱交換器本体４２（第二流路形成体４２２及び第一流路形成体４２１）が、炭化珪素で一体に形成されている。
【００６０】
図２に示す入口部４５は、熱交換器本体４２の外部から内部へ熱媒体を導入するための口部である。一方、出口部４６は、熱交換器本体４２の内部から外部へ熱媒体を導入するための口部である。
【００６１】
入口部４５及び出口部４６は、図２に示されるように、第二流路形成体４２２の上面に設けられている。具体的には、入口部４５及び出口部４６は、第二流路形成体４２２の上面から上方へ延出されている。この入口部４５及び出口部４６は、それぞれ、上下方向を軸方向とする筒状（具体的には、円筒状）に形成されている。
【００６２】
入口部４５は、具体的には、図７に示されるように、第二流路形成体４２２の後方側かつ右方側の部分に配置されている。出口部４６は、第二流路形成体４２２の前方側かつ左方側の部分に配置されている。すなわち、入口部４５及び出口部４６は、平面視にて矩形とされた第二流路形成体４２２の対角の部分に配置されている。
【００６３】
さらに、入口部４５の先端部は、図１に示されるように、排気管２０の排気管本体２２の径方向外側へ突出している。入口部４５の内部には、熱媒体を流通させる流路４７が形成されている。出口部４６の先端部は、排気管２０の排気管本体２２の径方向外側へ突出している。出口部４６には、熱媒体を流通させる流路４８が形成されている。
【００６４】
導入管３１は、排気管２０の外側から入口部４５の流路４７へ熱媒体を導入する導入管である。この導入管３１の下流端部（下端部）と入口部４５とが接続されている。具体的には、入口部４５の先端部が、導入管３１の下流端部に挿し込まれている。Ｏリング３３は、導入管３１の内面と入口部４５の外面との間に配置されており、導入管３１の内面と入口部４５の外面との間をシールしている。
【００６５】
導出管３２は、出口部４６の流路４８から排気管２０の外側へ熱媒体を導出する導出管である。この導出管３２の上流端部（下端部）と出口部４６とが接続されている。具体的には、出口部４６の先端部が、導出管３２の上流端部に挿し込まれている。Ｏリング３４は、導出管３２の内面と出口部４６の外面との間に配置されており、導出管３２の内面と出口部４６の外面との間をシールしている。
【００６６】
なお、入口部４５及び出口部４６と、排気管２０のカバー部２４との間は、第二流路形成体４２２の上面に配置されたシール材３９によって、シールされている。このシール材３９は、平面視にて入口部４５及び出口部４６を囲む枠状に形成されている。
【００６７】
第二流路形成体４２２の下面には、図３に示されるように、入口部４５からの熱媒体を熱媒体流路５０に導入する導入路６１と、複数の熱媒体流路５０からの熱媒体を出口部４６へ導出する導出路６２と、が形成されている。
【００６８】
導入路６１は、図７に示されるように、第二流路形成体４２２の後方側部分に左右方向に沿って配置されている。この導入路６１は、平面視にて、左右方向に長くされた帯状（矩形状）に形成されている。
【００６９】
導入路６１は、複数の熱媒体流路５０の導入口５１１（図３参照）のそれぞれと連通している。また、導入路６１は、右端部６１Ａにて、入口部４５の流路４７と連通している。そして、導入路６１は、入口部４５からの熱媒体を左方向へ流通させて、複数の熱媒体流路５０の上流部分５１（図１参照）に導入する。なお、入口部４５は、図７に示されるように、平面視にて、導入路６１の右端部６１Ａに重なって配置されている。
【００７０】
導入路６１の前後方向幅は、熱媒体流路５０の導入口５１１の前後方向長さ以上の幅とされている。この導入路６１の前後方向幅は、図７に示されるように、左右方向で一定とされている。また、導入路６１の左右方向長さは、最も右側に配置された導入口５１１の右端と、最も左側に配置された導入口５１１の左端と、の間の長さ以上の長さとされている。各導入口５１１は、導入路６１の前後方向幅内であって、左右方向長さ内に配置されている。すなわち、各導入口５１１は、導入路６１の前端と後端との間であって、左端と右端との間に配置されている。
【００７１】
導入路６１の上下方向に沿った高さ（第三方向に沿った長さの一例）は、図６に示されるように、導入路６１の右端部６１Ａ（上流端部の一例、一方側の端部の一例）から左端部６１Ｂ（下流端部の一例、他方側の端部の一例）へ向けて徐々に低くされている。具体的には、導入路６１は、正面視にて、右方側から左方側へ向けて徐々に高さが低くなるテーパ形状に形成されている。
【００７２】
導入路６１の右端部６１Ａは、導入路６１が熱媒体を流通させる流通方向（左方）の上流端の部分である。すなわち、右端部６１Ａは、入口部４５に近い端部である。なお、右端部６１Ａは、入口部４５の流路４７と連通し、且つ、最も右側の導入口５１１と連通している。また、導入路６１は、右端部６１Ａにおいて、高さが最も高くされている。
【００７３】
導入路６１の左端部６１Ｂは、導入路６１が熱媒体を流通させる流通方向（左方）の下流端の部分である。すなわち、左端部６１Ｂは、入口部４５から遠い端部である。なお、左端部６１Ｂは、最も左側の導入口５１１と連通している。また、導入路６１は、左端部６１Ｂにおいて、高さが最も低くされている。
【００７４】
導出路６２は、図７に示されるように、第二流路形成体４２２の前方側部分に左右方向に沿って配置されている。この導出路６２は、平面視にて、左右方向に長くされた帯状（矩形状）に形成されている。
【００７５】
導出路６２は、複数の熱媒体流路５０の導出口５２２（図３参照）のそれぞれと連通している。また、導出路６２は、左端部６２Ｂにて、出口部４６の流路４８と連通している。そして、導出路６２は、複数の熱媒体流路５０の下流部分５２（図１参照）からの熱媒体を左方向へ流通させて、出口部４６へ導出する。なお、出口部４６は、図７に示されるように、平面視にて、導出路６２の左端部６２Ｂに重なって配置されている。
【００７６】
導出路６２の前後方向幅は、熱媒体流路５０の導出口５２２の前後方向長さ以上の幅とされている。この導出路６２の前後方向幅は、図７に示されるように、左右方向で一定とされている。また、導出路６２の左右方向長さは、最も右側に配置された導出口５２２の右端と、最も左側に配置された導出口５２２の左端と、の間の長さ以上の長さとされている。各導出口５２２は、導出路６２の前後方向幅内であって、左右方向長さ内に配置されている。すなわち、各導出口５２２は、導出路６２の前端と後端との間であって、左端と右端との間に配置されている。
【００７７】
導出路６２の上下方向に沿った高さ（第三方向に沿った長さの一例）は、図６に示されるように、導出路６２の右端部６２Ａ（第一部分の一例、一方側の端部の一例）から左端部６２Ｂ（第二部分の一例、他方側の端部の一例）へ向けて徐々に高くされている。具体的には、導出路６２は、正面視にて、右方側から左方側へ向けて徐々に高さが高くなるテーパ形状に形成されている。
【００７８】
導出路６２の右端部６２Ａは、導出路６２が熱媒体を流通させる流通方向（左方）の上流端の部分である。右端部６２Ａは、最も右側の導出口５２２と連通している。さらに、右端部６２Ａは、図７に示されるように、導入路６１の右端部６１Ａに対する前方側に配置された部分である。すなわち、右端部６２Ａは、導入路６１の右端部６１Ａ（上流端部）に対する前方側（熱媒体流路５０における熱媒体の流通方向側）に配置された第一部分の一例である。なお、右端部６２Ａは、正面視にて、図６に示されるように、導入路６１の右端部６１Ａの一部と重なっている。また、導出路６２は、右端部６２Ａにおいて、高さが最も低くされている。
【００７９】
導出路６２の左端部６２Ｂは、導出路６２が熱媒体を流通させる流通方向（左方）の下流端の部分である。左端部６２Ｂは、出口部４６の流路４８と連通し、且つ、最も左側の導出口５２２と連通している。さらに、左端部６２Ｂは、図７に示されるように、導入路６１の左端部６１Ｂに対する前方側に配置された部分である。すなわち、左端部６２Ｂは、導入路６１の左端部６１Ｂ（下流端部）に対する前方側（熱媒体流路５０における熱媒体の流通方向側）に配置された第二部分の一例である。なお、左端部６２Ｂは、正面視にて、図６に示されるように、導入路６１の左端部６１Ｂと一部が重なっている。また、導出路６２は、左端部６２Ｂにおいて、高さが最も高くされている。
【００８０】
なお、第二流路形成体４２２が、図２に示されるように、第一流路形成体４２１の上面に一体に設けられることで、導入路６１の下方側の開口は、一部で熱媒体流路５０の導入口５１１と連通し、他の一部で閉じられる。また、第二流路形成体４２２が、第一流路形成体４２１の上面に一体に設けられることで、導出路６２の下方側の開口は、一部で熱媒体流路５０の導出口５２２と連通し、他の一部で閉じられる。すなわち、導入路６１及び導出路６２は、第一流路形成体４２１及び第二流路形成体４２２が一体に設けられた熱交換器本体４２の内部に形成されている。
【００８１】
（第一実施形態の作用効果）
次に、第一実施形態の作用効果を説明する。
【００８２】
第一実施形態に係る排熱回収構造１０（図１参照）によれば、排気管２０内の排気ガスは、熱交換器４０のガス流路１６（図４参照）を後方（Ａ方向）へ流通する。
【００８３】
一方、熱媒体は、図１に示されるように、導入管３１によって排気管２０の外側から入口部４５の流路４７を介して、導入路６１の右端部６１Ａ（図７参照）に導入される。導入路６１の右端部６１Ａに導入された熱媒体は、導入路６１を左方へ流通し、各導入口５１１（図１及び図５参照）を通じて各熱媒体流路５０へ導入される。各熱媒体流路５０へ導入された熱媒体は、前方へ流通し、ガス流路１６を流通する排気ガスとの間で熱交換される。
【００８４】
排気ガスとの間で熱交換された熱媒体は、各導出口５２２を通じて導出路６２に導出される。導出路６２に導出された熱媒体は、導出路６２を左方へ流通し（図７参照）、出口部４６の流路４８及び導出管３２を介して、排気管２０の外側へ導出される（図１参照）。これにより、排気管２０を流通する排気ガスの熱が回収される。そして、その熱が、排気管２０の外側にて再利用される。
【００８５】
ここで、本実施形態では、導入路６１の高さは、図６に示されるように、導入路６１の右端部６１Ａから左端部６１Ｂへ向けて徐々に低くされている。すなわち、導入路６１の高さは、入口部４５に近い右端部６１Ａから、入口部４５から遠い左端部６１Ｂへ向けて徐々に低くされている。これにより、導入路６１の断面積を入口部４５から遠ざかるほど小さく構成することができる。
【００８６】
一方、導出路６２の高さは、導出路６２の右端部６２Ａから左端部６２Ｂへ向けて徐々に高くされている。
【００８７】
ここで、導出路６２の右端部６２Ａは、導入路６１の右端部６１Ａに対する前方側に配置されているため、導入路６１の入口部４５に近い右端部６１Ａから熱媒体流路５０を前方へ流通した熱媒体が、導出路６２の右端部６２Ａへ導出される。
【００８８】
導出路６２の左端部６２Ｂは、導入路６１の左端部６１Ｂに対する前方側に配置されているため、導入路６１の入口部４５から遠い左端部６１Ｂから熱媒体流路５０を前方へ流通した熱媒体が、導出路６２の左端部６２Ｂへ導出される。
【００８９】
前述のように、導出路６２の高さが、導出路６２の右端部６２Ａから左端部６２Ｂへ向けて徐々に高くされているため、入口部４５から遠い側（左側）に配置された熱媒体流路５０の導出側において、入口部４５から近い側（右側）に配置された熱媒体流路５０の導出側よりも、導出路６２の断面積を大きく構成することができる。
【００９０】
以上のように、導入路６１の断面積を入口部４５に近い右端部６１Ａから、入口部４５から遠い左端部６１Ｂへ向けて徐々に小さくし、入口部４５に近い側（右側）の熱媒体流路５０よりも、入口部４５から遠い側（左側）の熱媒体流路５０の導出側において、導出路６２の断面積を大きくすることで、入口部４５から各熱媒体流路５０を経て出口部４６へ至る複数の経路間における流通抵抗のばらつきを抑制することができる。これにより、熱媒体流路５０を流通する熱媒体の流量が、入口部４５から近い側（右側）に配置された熱媒体流路５０と、入口部４５から遠い側（左側）に配置された熱媒体流路５０との間でばらつくことが抑制できる。このように、熱媒体流路５０を流通する熱媒体の流量が、熱媒体流路５０間でばらつくことが抑制できるため、熱交換効率を向上させることができる。
【００９１】
（第一変形例に係る熱交換器１４０）
第一変形例に係る熱交換器１４０について説明する。ここでは、前述の熱交換器４０と異なる部分について説明し、同一部分については、その説明を適宜省略する。また、熱交換器４０と同一機能を有する部分に同一の符号を付す。
【００９２】
第一変形例に係る熱交換器１４０では、入口部４５は、図８及び図９に示されるように、第二流路形成体４２２の後方側かつ左右方向の中央側の部分に配置されている。出口部４６は、第二流路形成体４２２の前方側かつ左右方向の中央側の部分に配置されている。なお、熱交換器１４０の第一流路形成体４２１は、熱交換器４０の第一流路形成体４２１と同様に構成されている。
【００９３】
また、導入路６１は、図９及び図１０に示されるように、左右方向の中央部６１Ｃにて、入口部４５の流路４７と連通している。そして、導入路６１は、入口部４５からの熱媒体を、中央部６１Ｃから左方向及び右方向へ流通させて、複数の熱媒体流路５０の上流部分５１（図１参照）に導入する。なお、入口部４５は、図９に示されるように、平面視にて、導入路６１の中央部６１Ｃに重なって配置されている。
【００９４】
導入路６１の上下方向に沿った高さ（第三方向に沿った長さの一例）は、図１０（Ａ）に示されるように、導入路６１の中央部６１Ｃ（上流端部の一例、中央側の部分の一例）から右端部６１Ａ及び左端部６１Ｂ（下流端部の一例、一方側及び他方側の端部の一例）へ向けて徐々に低くされている。具体的には、導入路６１は、正面視にて、中央部６１Ｃから右端部６１Ａ及び左端部６１Ｂへ向けて徐々に高さが低くなる略三角形状（略二等辺三角形状）に形成されている。
【００９５】
導入路６１の中央部６１Ｃは、導入路６１が熱媒体を流通させる流通方向（中央から左方及び右方への方向）の上流端の部分である。すなわち、中央部６１Ｃは、入口部４５に近い端部である。なお、中央部６１Ｃは、入口部４５の流路４７と連通し、且つ、左右方向の中央側に配置された導入口５１１（図３参照）と連通している。また、導入路６１は、中央部６１Ｃにおいて、高さが最も高くされている。
【００９６】
導入路６１の右端部６１Ａ及び左端部６１Ｂは、導入路６１が熱媒体を流通させる流通方向（中央から左方及び右方への方向）の下流端の部分である。すなわち、右端部６１Ａ及び左端部６１Ｂは、入口部４５から遠い端部である。また、導入路６１は、右端部６１Ａ及び左端部６１Ｂにおいて、高さが最も低くされている。
【００９７】
また、導出路６２は、中央部６２Ｃにて、出口部４６の流路４８と連通している。そして、導出路６２は、複数の熱媒体流路５０の下流部分５２（図１参照）からの熱媒体を、右端部６２Ａ及び左端部６２Ｂから中央部６２Ｃへ向かって流通させて、出口部４６へ導出する。なお、出口部４６は、図９に示されるように、平面視にて、導出路６２の中央部６２Ｃに重なって配置されている。
【００９８】
導出路６２の上下方向に沿った高さ（第三方向に沿った長さの一例）は、図１０（Ｂ）に示されるように、導出路６２の中央部６２Ｃ（第一部分の一例、中央側の部分の一例）から右端部６２Ａ及び左端部６２Ｂ（第二部分の一例、一方側及び他方側の端部の一例）へ向けて徐々に高くされている。具体的には、導出路６２は、正面視にて、中央部６２Ｃから右端部６２Ａ及び左端部６２Ｂへ向かって徐々に高さが高くなる略Ｖ字形状に形成されている。
【００９９】
導出路６２の中央部６２Ｃは、導出路６２が熱媒体を流通させる流通方向（右方側及び左方側から中央へ向かう方向）の下流端の部分である。中央部６２Ｃは、出口部４６の流路４８と連通し、且つ、左右方向の中央側に配置された導出口５２２（図３参照）と連通している。さらに、中央部６２Ｃは、図９に示されるように、導入路６１の中央部６１Ｃ（上流端部）に対する前方側に配置された部分である。すなわち、中央部６２Ｃは、導入路６１の中央部６１Ｃ（上流端部）に対する前方側（熱媒体流路５０における熱媒体の流通方向側）に配置された第一部分の一例である。なお、中央部６２Ｃは、正面視にて、図１０（Ｂ）に示されるように、導入路６１の中央部６１Ｃの一部と重なっている。また、導出路６２は、中央部６２Ｃにおいて、高さが最も低くされている。
【０１００】
導出路６２の右端部６２Ａ及び左端部６２Ｂは、導出路６２が熱媒体を流通させる流通方向（右方側及び左方側から中央へ向かう方向）の上流端の部分である。さらに、右端部６２Ａ及び左端部６２Ｂは、図９に示されるように、導入路６１の右端部６１Ａ及び左端部６１Ｂ（下流端部）に対する前方側に配置された部分である。すなわち、右端部６２Ａ及び左端部６２Ｂは、導入路６１の右端部６１Ａ及び左端部６１Ｂ（下流端部）に対する前方側（熱媒体流路５０における熱媒体の流通方向側）に配置された第二部分の一例である。なお、右端部６２Ａ及び左端部６２Ｂは、正面視にて、図１０（Ｂ）に示されるように、導入路６１の右端部６１Ａ及び左端部６１Ｂと一部が重なっている。また、導出路６２は、右端部６２Ａ及び左端部６２Ｂにおいて、高さが最も高くされている。
【０１０１】
（第一変形例に係る熱交換器１４０の作用効果）
熱交換器１４０では、導入路６１の上下方向に沿った高さ（第三方向に沿った長さの一例）は、図１０（Ａ）に示されるように、導入路６１の中央部６１Ｃから右端部６１Ａ及び左端部６１Ｂへ向けて徐々に低くされている。すなわち、導入路６１の高さは、入口部４５に近い中央部６１Ｃから、入口部４５から遠い右端部６１Ａ及び左端部６１Ｂへ向けて徐々に低くされている。これにより、導入路６１の断面積を入口部４５から遠ざかるほど小さく構成することができる。
【０１０２】
一方、導出路６２の上下方向に沿った高さ（第三方向に沿った長さの一例）は、図１０（Ｂ）に示されるように、導出路６２の中央部６２Ｃから右端部６２Ａ及び左端部６２Ｂへ向けて徐々に高くされている。
【０１０３】
ここで、導出路６２の中央部６２Ｃは、導入路６１の中央部６１Ｃに対する前方側に配置されているため、導入路６１の入口部４５に近い中央部６１Ｃから熱媒体流路５０を前方へ流通した熱媒体が、導出路６２の中央部６２Ｃへ導出される。
【０１０４】
導出路６２の右端部６２Ａ及び左端部６２Ｂは、導入路６１の右端部６１Ａ及び左端部６１Ｂに対する前方側に配置されているため、導入路６１の入口部４５から遠い右端部６１Ａ及び左端部６１Ｂから熱媒体流路５０を前方へ流通した熱媒体が、導出路６２の右端部６２Ａ及び左端部６２Ｂへ導出される。
【０１０５】
前述のように、導出路６２の高さが、導出路６２の中央部６２Ｃから右端部６２Ａ及び左端部６２Ｂへ向けて徐々に高くされているため、入口部４５から遠い側（右側及び左側）に配置された熱媒体流路５０の導出側において、入口部４５から近い側（中央側）に配置された熱媒体流路５０の導出側よりも、導出路６２の断面積を大きく構成することができる。
【０１０６】
以上のように、導入路６１の断面積を入口部４５に近い中央部６１Ｃから、入口部４５から遠い右端部６１Ａ及び左端部６１Ｂへ向けて徐々に小さくし、入口部４５から近い側（中央側）の熱媒体流路５０よりも、入口部４５から遠い側（右側及び左側）の熱媒体流路５０の導出側において、導出路６２の断面積を大きくすることで、入口部４５から各熱媒体流路５０を経て出口部４６へ至る複数の経路間における流通抵抗のばらつきを抑制することができる。これにより、熱媒体流路５０を流通する熱媒体の流量が、入口部４５から近い側（中央側）に配置された熱媒体流路５０と、入口部４５から遠い側（右側及び左側）に配置された熱媒体流路５０との間でばらつくことが抑制できる。このように、入口部４５が導入路６１の中央部６１Ｃと連通され、出口部４６が導出路６２の中央部６２Ｃと連通される熱交換器１４０においても、熱媒体流路５０を流通する熱媒体の流量が、熱媒体流路５０間でばらつくことが抑制できるため、熱交換効率を向上させることができる。
【０１０７】
（第二変形例に係る熱交換器２４０）
第二変形例に係る熱交換器２４０について説明する。ここでは、前述の熱交換器４０と異なる部分について説明し、同一部分については、その説明を適宜省略する。また、熱交換器４０と同一機能を有する部分に同一の符号を付す。
【０１０８】
第二変形例に係る熱交換器２４０では、出口部４６は、図１１及び図１２に示されるように、第二流路形成体４２２の前方側かつ右方側の部分に配置されている。なお、熱交換器２４０の第一流路形成体４２１は、熱交換器４０の第一流路形成体４２１と同様に構成されている。
【０１０９】
導入路６１の上下方向に沿った高さ（第三方向に沿った長さの一例）は、図１３（Ａ）に示されるように、導入路６１の右端部６１Ａ（上流端部の一例、一方側の端部の一例）から左端部６１Ｂ（下流端部の一例、他方側の端部の一例）へ向けて徐々に低くされている。具体的には、導入路６１は、正面視にて、右方側から左方側へ向けて徐々に高さが低くなるテーパ形状に形成されている。
【０１１０】
導入路６１の右端部６１Ａは、導入路６１が熱媒体を流通させる流通方向（左方）の上流端の部分である。すなわち、右端部６１Ａは、入口部４５に近い端部である。なお、右端部６１Ａは、入口部４５の流路４７と連通し、且つ、最も右側の導入口５１１（図３参照）と連通している。また、導入路６１は、右端部６１Ａにおいて、高さが最も高くされている。
【０１１１】
導入路６１の左端部６１Ｂは、導入路６１が熱媒体を流通させる流通方向（左方）の下流端の部分である。すなわち、左端部６１Ｂは、入口部４５から遠い端部である。なお、左端部６１Ｂは、最も左側の導入口５１１と連通している。また、導入路６１は、左端部６１Ｂにおいて、高さが最も低くされている。
【０１１２】
また、導出路６２は、右端部６２Ａにて、出口部４６の流路４８と連通している。そして、導出路６２は、複数の熱媒体流路５０の下流部分５２（図１参照）からの熱媒体を右方へ流通させて、出口部４６へ導出する。なお、出口部４６は、図１２に示されるように、平面視にて、導出路６２の右端部６２Ａに重なって配置されている。
【０１１３】
導出路６２の上下方向に沿った高さ（第三方向に沿った長さの一例）は、図１３（Ｂ）に示されるように、導出路６２の右端部６２Ａ（第一部分の一例、一方側の端部の一例）から左端部６２Ｂ（第二部分の一例、他方側の端部の一例）へ向けて徐々に高くされている。具体的には、導出路６２は、正面視にて、右方側から左方側へ向けて徐々に高さが高くなるテーパ形状に形成されている。
【０１１４】
導出路６２の右端部６２Ａは、導出路６２が熱媒体を流通させる流通方向（右方）の下流端の部分である。右端部６２Ａは、出口部４６の流路４８と連通し、且つ、最も右側の導出口５２２（図３参照）と連通している。さらに、右端部６２Ａは、図１２に示されるように、導入路６１の右端部６１Ａに対する前方側に配置された部分である。すなわち、右端部６２Ａは、導入路６１の右端部６１Ａ（上流端部）に対する前方側（熱媒体流路５０における熱媒体の流通方向側）に配置された第一部分の一例である。なお、右端部６２Ａは、正面視にて、図１３（Ｂ）に示されるように、導入路６１の右端部６１Ａの一部と重なっている。また、導出路６２は、右端部６２Ａにおいて、高さが最も低くされている。
【０１１５】
導出路６２の左端部６２Ｂは、導出路６２が熱媒体を流通させる流通方向（右方）の上流端の部分である。左端部６２Ｂは、最も左側の導出口５２２と連通している。さらに、左端部６２Ｂは、図１２に示されるように、導入路６１の左端部６１Ｂに対する前方側に配置された部分である。すなわち、左端部６２Ｂは、導入路６１の左端部６１Ｂ（下流端部）に対する前方側（熱媒体流路５０における熱媒体の流通方向側）に配置された第二部分の一例である。なお、左端部６２Ｂは、正面視にて、図１３（Ｂ）に示されるように、導入路６１の左端部６１Ｂと一部が重なっている。また、導出路６２は、左端部６２Ｂにおいて、高さが最も高くされている。
【０１１６】
（第二変形例に係る熱交換器２４０の作用効果）
熱交換器２４０では、導入路６１の高さは、図１３（Ａ）に示されるように、導入路６１の右端部６１Ａから左端部６１Ｂへ向けて徐々に低くされている。すなわち、導入路６１の高さは、入口部４５に近い右端部６１Ａから、入口部４５から遠い左端部６１Ｂへ向けて徐々に低くされている。これにより、導入路６１の断面積を入口部４５から遠ざかるほど小さく構成することができる。
【０１１７】
一方、導出路６２の高さは、図１３（Ｂ）に示されるように、導出路６２の右端部６２Ａから左端部６２Ｂへ向けて徐々に高くされている。
【０１１８】
ここで、導出路６２の右端部６２Ａは、導入路６１の右端部６１Ａに対する前方側に配置されているため、導入路６１の入口部４５に近い右端部６１Ａから熱媒体流路５０を前方へ流通した熱媒体が、導出路６２の右端部６２Ａへ導出される。
【０１１９】
導出路６２の左端部６２Ｂは、導入路６１の左端部６１Ｂに対する前方側に配置されているため、導入路６１の入口部４５から遠い左端部６１Ｂから熱媒体流路５０を前方へ流通した熱媒体が、導出路６２の左端部６２Ｂへ導出される。
【０１２０】
前述のように、導出路６２の高さが、導出路６２の右端部６２Ａから左端部６２Ｂへ向けて徐々に高くされているため、入口部４５から遠い側（左側）に配置された熱媒体流路５０の導出側において、入口部４５から近い側（右側）に配置された熱媒体流路５０の導出側よりも、導出路６２の断面積を大きく構成することができる。
【０１２１】
以上のように、導入路６１の断面積を入口部４５に近い右端部６１Ａから、入口部４５から遠い左端部６１Ｂへ向けて徐々に小さくし、入口部４５に近い側（右側）の熱媒体流路５０よりも、入口部４５から遠い側（左側）の熱媒体流路５０の導出側において、導出路６２の断面積を大きくすることで、入口部４５から各熱媒体流路５０を経て出口部４６へ至る複数の経路間における流通抵抗のばらつきを抑制することができる。これにより、熱媒体流路５０を流通する熱媒体の流量が、入口部４５から近い側（右側）に配置された熱媒体流路５０と、入口部４５から遠い側（左側）に配置された熱媒体流路５０との間でばらつくことが抑制できる。このように、入口部４５が導入路６１の右端部６１Ａと連通され、出口部４６が導出路６２の右端部６２Ａと連通される熱交換器２４０においても、熱媒体流路５０を流通する熱媒体の流量が、熱媒体流路５０間でばらつくことが抑制できるため、熱交換効率を向上させることができる。
【０１２２】
（変形例）
本実施形態では、高温ガスとして排気ガスを用いたがこれに限られない。高温ガスとしては、熱媒体よりも高温である気体であれば、適用可能である。
【０１２３】
本実施形態では、熱媒体として、冷却水を用いたが、これに限られない。熱媒体としては、例えば、ＡＴＦフルードやＣＴＶフルードなどを用いてもよく、熱交換に用いられる液体や気体等の流体を広く適用することができる。
【０１２４】
本実施形態では、熱交換器４０を排熱回収構造１０に適用した例について説明したが、これに限られない。熱交換器４０は、他の構造体に適用することが可能である。
【０１２５】
本実施形態では、入口部４５及び出口部４６を含む熱交換器本体４２（第二流路形成体４２２及び第一流路形成体４２１）が、炭化珪素で形成されていたが、これに限らず、炭化珪素以外の材料にて形成されていてもよい。
【０１２６】
本実施形態では、ガス流路１６における排気ガスの流通方向（後方）と、熱媒体流路５０における熱媒体の流通方向（前方）とが、逆方向であったが、排気ガスの流通方向と熱媒体の流通方向とは、同じ方向であってもよい。具体的には、例えば、排気ガスをガス流路１６に対して前方へ流通させることで、排気ガスの流通方向と熱媒体の流通方向とを同じ方向とすることができる。
【０１２７】
本発明は、上記の実施形態に限るものではなく、その主旨を逸脱しない範囲内において種々の変形、変更、改良が可能である。
【符号の説明】
【０１２８】
１０   排熱回収構造
１６   ガス流路
２０   排気管
４０   熱交換器
４２   熱交換器本体
４５   入口部
４６   出口部
５０   熱媒体流路
６１   導入路
６２   導出路
【図１】
2018204853.tif 000003
【図２】
2018204853.tif 000004
【図３】
2018204853.tif 000005
【図４】
2018204853.tif 000006
【図５】
2018204853.tif 000007
【図６】
2018204853.tif 000008
【図７】
2018204853.tif 000009
【図８】
2018204853.tif 000010
【図９】
2018204853.tif 000011
【図１０】
2018204853.tif 000012
【図１１】
2018204853.tif 000013
【図１２】
2018204853.tif 000014
【図１３】
2018204853.tif 000015